(57)【要約】【課題】排水構造を簡易に構成できる浴室の排水構造を提供することを目的とする。【解決手段】浴室１００の排水構造１は、床１１０と、床１１０に形成される排水口と、排水口３１０の周囲に形成される床排水トラップ４００と、床１１０に設置される水回り機器２１０と、を備え、水回り機器２１０の一部は、床排水トラップ４００を構成する隔壁の一部を兼ねている。水回り機器２１０は、床パン１１０に対して着脱可能に構成されていてもよい。【選択図】図２
2019094631.tif 000002
【特許請求の範囲】
【請求項１】
床と、
前記床に形成される排水口と、
前記排水口の周囲に形成される床排水トラップと、
前記床に設置される水回り機器と、を備える浴室の排水構造であって、
前記水回り機器の一部は、前記床排水トラップを構成する隔壁の一部を兼ねている浴室の排水構造。
【請求項２】
前記水回り機器は、前記床に対して着脱可能である請求項１に記載の浴室の排水構造。
【請求項３】
前記水回り機器は、筒状部を有し、
前記隔壁は、前記筒状部の下端部により構成され、
前記排水口の周囲には、環状の水貯留部が形成され、
前記床排水トラップは、前記隔壁が前記水貯留部に配置されることで形成される封水部を有する請求項１又は２に記載の浴室の排水構造。
【請求項４】
前記水回り機器は、水や汚物にて一定重量を超えた場合に作動する排水可動弁を有する請求項１から３のいずれかに記載の浴室の排水構造。
【請求項５】
前記水回り機器は、便器である請求項１から４のいずれかに記載の浴室の排水構造。
【請求項６】
前記床には、前記床に流れる排水を前記床排水トラップに導くための溝が形成される請求項１から５のいずれかに記載の浴室の排水構造。
【請求項７】
前記溝は、前記床排水トラップ側が下るように傾斜する傾斜部分を有する請求項６に記載の浴室の排水構造。
【発明の詳細な説明】
【技術分野】
【０００１】
浴室の排水構造に関する。
【背景技術】
【０００２】
従来、床パン（床）と、床パンに形成された排水口と、便器と、を備える浴室が知られている（例えば、特許文献１参照）。特許文献１の床パンの排水口には、排水トラップが設けられている。また、便器には、排水管が接続されている。便器に接続された排水管は、床パンの排水口とは別の位置において、床パンから下方へ延びている。
【先行技術文献】
【特許文献】
【０００３】
【特許文献１】特開２００５−１１３５９０号公報
【発明の概要】
【発明が解決しようとする課題】
【０００４】
特許文献１に記載の浴室においては、床パンを流れる排水の排水経路と、便器から排出される排水の排水経路とが、別々の系統の排水経路である。そのため、排水構造が複雑になりがちである。従って、浴室の排水構造を簡易に構成することが求められている。
【０００５】
本発明は、排水構造を簡易に構成できる浴室の排水構造を提供することを目的とする。
【課題を解決するための手段】
【０００６】
本発明は、床（例えば、後述の床パン１１０）と、前記床に形成される排水口（例えば、後述の床排水口３１０）と、前記排水口の周囲に形成される床排水トラップ（例えば、後述の床排水トラップ４００）と、前記床に設置される水回り機器（例えば、後述の便器２１０）と、を備える浴室（例えば、後述の浴室１００）の排水構造（例えば、後述の浴室の排水構造１）であって、前記水回り機器の一部（例えば、後述の下端部２２１）は、前記床排水トラップを構成する隔壁（例えば、後述の隔壁４１０）の一部を兼ねている浴室の排水構造に関する。
【０００７】
また、前記水回り機器は、前記床に対して着脱可能であることが好ましい。
【０００８】
また、前記水回り機器は、筒状部（例えば、後述の便器本体２２０）を有し、前記隔壁は、前記筒状部の下端部（例えば、後述の下端部２２１）により構成され、前記排水口の周囲には、環状の水貯留部（例えば、後述の環状貯留部３２０）が形成され、前記床排水トラップは、前記隔壁が前記水貯留部に配置されることで形成される封水部（例えば、後述の封水部４２０）を有することが好ましい。
【０００９】
また、前記水回り機器は、水や汚物にて一定重量を超えた場合に作動する排水可動弁（例えば、後述の排水可動弁２５０）を有することが好ましい。
【００１０】
また、前記水回り機器は、便器（例えば、後述の便器２１０）であることが好ましい。
【００１１】
また、前記床には、前記床に流れる排水を前記床排水トラップに導くための溝（例えば、後述の誘導傾斜溝１１２）が形成されることが好ましい。
【００１２】
また、前記溝は、前記床排水トラップ側が下るように傾斜する傾斜部分（例えば、後述の傾斜部分１１２ａ）を有することが好ましい。
【発明の効果】
【００１３】
本発明によれば、排水構造を簡易に構成できる浴室の排水構造を提供することができる。
【図面の簡単な説明】
【００１４】
【図１】第１実施形態に係る洋式便器を備える浴室の排水構造の全体構成を示す図である。
【図２】第１実施形態において、便器装置の周辺の構成を示す図である。
【図３】床排水トラップから便器本体を取り外した状態を示す図である。
【図４】便器装置の便器本体の下端片及び切り欠き通水開口を示す図である。
【図５】便器装置の便器本体の床排水トラップへの取付構造を示す図である。
【図６】第２実施形態に係る和式便器を備える浴室の排水構造を示す図である。
【図７】第３実施形態の浴室の排水構造を示す図であって、便器装置がＵ字排水トラップを備える構成を示す図である。
【図８】第４実施形態に係る浴室の排水構造を示す図であって、手洗い装置がＵ字排水トラップを有する構成を示す図である。
【発明を実施するための形態】
【００１５】
以下、本発明の実施形態について、図面を参照して詳細に説明する。なお、第２実施形態以降の説明において、第１実施形態と共通する構成については同一の符号を付し、対応する構成については同一の規則性に従って符号を付し、適宜その説明を省略する。
【００１６】
［第１実施形態］
図１は、第１実施形態に係る洋式便器を備える浴室１００の排水構造１の全体構成を示す図である。図２は、第１実施形態において、便器装置２００の周辺の構成を示す図である。図３は、床排水トラップ４００から便器本体２２０を取り外した状態を示す図である。図４は、便器装置２００の便器本体２２０の下端片２２２及び切り欠き通水開口２２３を示す図である。図５は、便器装置２００の便器本体２２０の床排水トラップ４００への取付構造を示す図である。
【００１７】
図１に示すように、本実施形態に係る浴室１００の排水構造１は、ユニット化された浴室１００を備える。浴室１００は、床としての床パン１１０と、側壁１２０と、天井１３０と、シャワー装置１４０と、便器装置２００と、床排水トラップ４００を含んで構成される排水部３００と、を備える。なお、本実施形態においては、浴室１００は、シャワー装置１４０を備えて構成されるが、これに限定されない。例えば、浴室は、シャワー装置を備えていなくてもよい。また、浴室は、浴槽を備えていてもよいし、シャワー装置及び浴槽の両方を備えていてもよい。
【００１８】
床パン１１０は、ユニット化された浴室１００の底部に配置される。床パン１１０は、浴室１００の洗い場を構成する。側壁１２０は、床パン１１０の外側の端部から立設され、浴室１００の周囲を囲む。天井１３０は、ユニット化された浴室１００の天面を構成する。シャワー装置１４０は、側壁１２０に取り付けられ、シャワー装置１４０から排出されたシャワー排水は、床パン１１０上を流れる。床パン１１０には、円形状に開口する床排水口３１０（排水口）が形成される。床排水口３１０の周囲には、後述する床排水トラップ４００が形成される。
【００１９】
床パン１１０には、床パン１１０を流れるシャワー排水を床排水トラップ４００に導くための誘導傾斜溝１１２（溝）が形成される。誘導傾斜溝１１２は、床パン１１０の上面１１１から凹状に窪む溝状に形成される。誘導傾斜溝１１２は、床排水トラップ側が下るように傾斜する傾斜部分１１２ａを有する。床パン１１０は、誘導傾斜溝１１２を有することで、少量の水が流された場合においても、床パン１１０の上面１１１から誘導傾斜溝１１２に水が流れ込んで、誘導傾斜溝１１２により水を誘導できる。そのため、床パン１１０の上面１１１に水が滞留することが抑制され、床パン１１０の上面１１１に水が残ることを低減できる。
【００２０】
排水部３００は、図１に示すように、床パン１１０の床排水口３１０と、床排水口３１０の周囲に円環状に形成される環状貯留部（水貯留部）３２０と、床排水トラップ４００と、環状貯留部３２０の上部に配置される円環状の環状目皿３３０と、床排水口３１０において環状貯留部３２０の内側の下端部に接続されるチャンバ３４０と、チャンバ３４０の下部のチャンバ排水口３４１に接続された横配管３５０と、を有する。横配管３５０は、横方向に延びる部分を有しており、チャンバ排水口３４１から下方に所定長さ延び、かつ、所定長さ延びた下端部から横方向に延びる。
【００２１】
環状貯留部３２０は、床排水口３１０の全周に、床排水口３１０の周縁に沿って円環状に形成され、床パン１１０の上面１１１から下方に窪む。環状貯留部３２０は、図２に示すように、底面部３２１と、外側傾斜壁部３２２と、内側壁部３２３と、を有する。底面部３２１は、略水平に形成される。外側傾斜壁部３２２は、底面部３２１の外側の端部から、上方に向かうに従って外側に向かうように傾斜して延びる。内側壁部３２３は、底面部３２１の内側の端部から、略垂直に上方に延びる。
【００２２】
環状貯留部３２０には、床パン１１を流れて流入されたシャワー排水が貯留される。環状貯留部３２０の上部には、環状目皿３３０が配置される。環状目皿３３０は、複数の貫通孔を有し、円環状に形成される。環状目皿３３０は、内周縁において便器装置２００の便器本体２２０との間に隙間を形成した状態で、支持部３３１に支持される。環状目皿３３０の上面３３０ａは、床パン１１０の上面１１１に連続して、平面状に配置される。環状目皿３３０は、環状貯留部３２０の目隠し部材として機能する。
【００２３】
チャンバ３４０は、図２に示すように、上方側の開口面積が広く、下方側の開口面積が狭い筒状に形成される。チャンバ３４０の上方には、後述する便器装置２００の便鉢２３０が配置される。チャンバ３４０の下端部には、チャンバ排水口３４１が形成される。チャンバ３４０の内面は、上方側から下方側に向かって径が小さくなる筒状の下り傾斜面３４０ａを有する。
【００２４】
チャンバ３４０の内部の上方には、後述する便器装置２００の便鉢２３０及び可動式カップ２５１が配置される。可動式カップ２５１は、便鉢２３０の下部開口部２３３の下方に配置される。チャンバ３４０には、可動式カップ２５１が回動することで、後述する便器装置２００の可動式カップ２５１に一旦受け止められた汚物及び使用後の溜水（汚水）が落下される。
また、チャンバ３４０には、床パン１１０を流れたシャワー排水が、床排水口３１０の周縁に形成された環状貯留部３２０（床排水トラップ４００）を介して流入する（落下される）。
【００２５】
チャンバ３４０に流入した汚物、汚水、洗浄水及びシャワー排水は、チャンバ３４０の下端部のチャンバ排水口３４１を介して、横配管３５０に流入し、横配管３５０を介して、浴室１００の外部に排出される。
【００２６】
便器装置２００は、床パン１１０に設置される。便器装置２００は、図２に簡略化して模式的に示すように、水回り機器としての便器２１０と、排水可動弁２５０と、洗浄タンク２６０と、を備える簡易水洗式の便器装置である。
【００２７】
本実施形態の便器装置２００における便器２１０は、使用者が必要に応じて腰を掛けて使用する、いわゆる洋式便器である。便器２１０は、円筒状の便器本体（筒状部）２２０と、便鉢２３０と、を備える。便器２１０は、図３に示すように、床パン１１０（後述）に対して着脱可能に構成される。
【００２８】
便器本体２２０は、図２に示すように、円筒状に形成される。便器本体２２０は、上下方向に延びる。便器２１０が洋式便器を構成するため、便器本体２２０の上端は、使用者が腰を掛けて使用できる高さまで延びる。便器本体２２０の上端に接続される便鉢２３０の上面部２３４（後述）は、床パン１１０よりも上方に配置される。便器本体２２０の下端部２２１は、床排水トラップ４００の隔壁４１０を構成する。これにより、便器２１０の一部は、床排水トラップ４００を構成する隔壁４１０の一部を兼ねて構成される。便器本体２２０の下端部２２１は、環状貯留部３２０の底面部３２１に取り付けられる。
【００２９】
便器本体２２０は、図４及び図５に示すように、下端部２２１において、排水トラップの機能を発揮するように、３つの下端片２２２と、３つの切り欠き通水開口２２３と、を有する。下端片２２２及び切り欠き通水開口２２３は、便器本体２２０の下端部２２１の周面において、交互に配置される。３つの下端片２２２と及び３つの切り欠き通水開口２２３は、床排水トラップ４００の封水部４２０に配置される。なお、３つの下端片２２２と及び３つの切り欠き通水開口２２３の数は、これに限定されず、２つ以下であってもよいし、４つ以上であってもよい。
【００３０】
３つの切り欠き通水開口２２３は、便器本体２２０の下端部２２１において下方から上方に向かって方形状に切り欠かれて形成され、便器本体２２０の内部と外部との水の流通を可能に開口する。３つの切り欠き通水開口２２３は、便器本体２２０を環状貯留部３２０に配置した場合に、下端部２２１において、シャワー排水を床排水トラップ４００の隔壁４１０の外部から内部に流通させる。３つの下端片２２２は、上下方向に延びる壁状に形成され、その下端が、環状貯留部３２０の底面部３２１の上面に当接して、便器本体２２０の内部と外部との水の流通を遮断する。
【００３１】
本実施形態においては、３つの切り欠き通水開口２２３の高さＨａは、図２及び図４において、例えば、１０〜３０ｍｍ程度が好ましい。また、環状貯留部３２０の内側壁部３２３の高さＨｂは、害虫等が浴室１００に侵入しないように、例えば、Ｈａ＋５０ｍｍよりも大きいことが好ましい（Ｈｂ＞Ｈａ＋５０ｍｍ）。また、３つの切り欠き通水開口２２３を全て合わせた周方向の全体の長さＬ（Ｌ＝Ｌａ＋Ｌａ＋Ｌａ）は、図４において、例えば、１００ｍｍ以上であることが好ましい。なお、本実施形態においては、各切り欠き通水開口２２３の周方向の長さは、それぞれ、例えばＬａである。
【００３２】
また、便器本体２２０は、図３及び図５に示すように、下端部２２１において、３つの円弧状突出取付片２２２ａを有する。３つの円弧状突出取付片２２２ａは、それぞれ、下端片２２２の最も下端のそれぞれから径方向の外側に突出する。
【００３３】
３つの円弧状突出取付片２２２ａは、環状貯留部３２０の底部に形成された３つの引っ掛け部３２５に取り付けられる。３つの引っ掛け部３２５は、環状貯留部３２０の底面部３２１の上面において、周方向に離間して配置される。引っ掛け部３２５を切り欠き通水開口２２３に挿入して、便器本体２２０を回転させることにより、周方向において、隣接する引っ掛け部３２５の間の周方向の隙間部分と切り欠き通水開口２２３との位置を一致させた状態で、便器本体２２０を環状貯留部３２０の底面部３２１の引っ掛け部３２５に取り付けることができる。
【００３４】
床排水トラップ４００は、図２に示すように、床排水口３１０の周囲に形成される円環状の環状貯留部３２０と、環状貯留部３２０の上部に配置される便器本体２２０の下端部２２１により構成される隔壁４１０と、を有し、隔壁４１０が環状貯留部３２０に配置されることで、封水部４２０を構成する。床排水トラップ４００は、封水部４２０により、浴室１００の外部と内部とを遮断する。また、床排水口３１０の上方側を塞ぐように、床排水口３１０の上方には、便器２１０が配置される。
【００３５】
このように形成される床排水トラップ４００は、床排水口３１０の周縁において封水部４２０を有し、封水部４２０において環状貯留部３２０に配置された円筒状の隔壁４１０を有すると共に上方側が便器２１０により塞がれた椀状に形成される。床排水トラップ４００により、浴室１００にチャンバ３４０からの臭気が逆流することが抑制されると共に、浴室１００に害虫等が侵入することが抑制される。
【００３６】
便鉢２３０は、図２に示すように、便器本体２２０の上端部の内側に接続される。便鉢２３０は、床排水口３１０に設けられるチャンバ３４０の上方に配置される。便鉢２３０は、筒状の傾斜筒部２３１と、上部に形成される上部開口部２３２と、下部に形成される下部開口部２３３と、上面部２３４と、を備える。傾斜筒部２３１は、上部開口部２３２から下部開口部２３３に向かうに従って径が小さくなる筒状に形成される。
【００３７】
下部開口部２３３は、便鉢２３０の下端部において、鉛直下方に円状に開口して形成され、上下方向に延びる。この下部開口部２３３の下方には、後述する可動式カップ２５１が配置される。汚物及び使用後の溜水（汚水）は、後述する洗浄タンク２６０から供給された洗浄水とともに、この下部開口部２３３から、下部開口部２３３の直下に配置される後述する可動式カップ２５１に排出される。上面部２３４は、傾斜筒部２３１の上端部から外側に略水平に延びる。上面部２３４は、便器本体２２０の上端部に接続され、床パン１１０よりも上方に配置される。
【００３８】
排水可動弁２５０は、図２に示すように、可動式カップ２５１（開閉部材）と、カウンター錘２５２（錘）と、を有する。
【００３９】
可動式カップ２５１は、上方が開口した底有のカップ状に形成される。可動式カップ２５１は、後述する封水部２４１が形成された状態で、下部開口部２３３を開閉する。可動式カップ２５１の一方側には、カウンター錘２５２が取り付けられている。
【００４０】
可動式カップ２５１は、閉状態において、便鉢２３０の下部開口部２３３の直下に配置される。可動式カップ２５１は、便鉢２３０の下部開口部２３３から排出される汚物及び使用後の溜水（汚水）を受け止める。可動式カップ２５１は、支持部材（図示せず）に回動可能に支持される。
【００４１】
可動式カップ２５１の閉状態において、可動式カップ２５１と便鉢２３０の下端部との間は、封水部２４１における封水により塞がれる。排水可動弁２５０は、可動式カップ２５１に汚物及び汚水が溜まると、汚水や汚物にて一定以上重量を超えた場合に、可動式カップ２５１が可動式カップ回動軸部２５３の回動軸Ｊを中心に開方向に回動（作動）する。これにより、可動式カップ２５１内の汚物や溜水（汚水）は、チャンバ３４０に落下される。
【００４２】
汚物及び汚水の落下後に、可動式カップ２５１は、閉状態となる。その後、便鉢２３０内に残留していた水が可動式カップ２５１内に流れ込み、可動式カップ２５１内に新たに封水部２４１を形成する。封水部２４１は、便器側排水トラップ２４０を構成する。
【００４３】
本実施形態においては、便器側排水トラップ２４０は、可動式カップ２５１が可動式カップ回動軸部２５３の回動軸Ｊを中心に開方向に回動可能に構成され、水の重量により作動する可動式のメカニカル式排水トラップである。便器側排水トラップ２４０により、浴室１００に、チャンバ３４０からの臭気が逆流することが抑制され、浴室１００に、害虫等が侵入することが抑制される。
【００４４】
洗浄タンク２６０は、図１に示すように、浴室１００の側壁１２０の内面に設置される。洗浄タンク２６０は、便鉢２３０内を洗浄するとともに、汚物を排出するための洗浄水を貯留する。洗浄操作レバー（図示せず）の操作により、洗浄タンク２６０内の洗浄水が便鉢２３０内に供給される。本実施形態の洗浄タンク２６０は、例えば、１回の洗浄におよそ５００ｃｃ以下（ＪＩＳによる）の極少量の洗浄水を供給する。
【００４５】
以上のように構成される浴室１００の排水構造１には、以下のような水の流れが生じる。
床パン１１０を流れるシャワー排水は、床排水口３１０側に傾斜する床パン１１０の誘導傾斜溝１１２を通って、床排水口３１０側に流れる。そして、シャワー排水は、環状貯留部３２０（床排水トラップ４００）を介して、チャンバ３４０に流入する。床排水口３１０の周囲には、便器本体２２０の下端部２２１により構成される隔壁４１０と環状貯留部３２０に溜まった水とにより、床排水トラップ４００が形成されている。
【００４６】
便器装置２００において、使用者が洗浄操作レバー（図示せず）を回動すると、それに連動して、洗浄タンク２６０内の洗浄水が便鉢２３０内に供給される。排水可動弁２５０は、可動式カップ２５１に汚物、汚水及び洗浄水が溜まると、汚水や洗浄水や汚物にて一定重量を超えた場合に、可動式カップ２５１が可動式カップ回動軸部２５３の回動軸Ｊを中心に開方向に回動する。これにより、可動式カップ２５１内の汚物や汚水や洗浄水は、チャンバ３４０に落下される。
【００４７】
チャンバ３４０に流入した汚物や汚水や洗浄水やシャワー排水は、チャンバ３４０の内部において、チャンバ３４０の下り傾斜面３４０ａを通り、チャンバ排水口３４１及び横配管３５０を介して浴室１００の外部に排出される。
【００４８】
ここで、本実施形態の浴室１００（浴室）は、床パン１１０と、床パン１１０に形成される床排水口３１０と、メカニカル式の便器側排水トラップ２４０を有する便器２１０と、便器２１０とは別の水回り機器であるシャワー装置１４０と、床排水口３１０に配置されるチャンバ３４０と、を備える。便器２１０は、水や汚物の重量により作動する可動式の可動式カップ２５１を有する排水可動弁２５０を備える。
【００４９】
チャンバ３４０には、便器２１０から排出された汚物や汚水や洗浄水と、シャワー装置１４０から排出されたシャワー排水と、が流れ込んで合流する。これにより、チャンバ３４０において、便器２１０から排出された汚物は、床パン１１０から流入したシャワー排水に押し流される。従って、チャンバ３４０から横配管３５０を介して浴室１００の外部に汚物を排出させる場合に、チャンバ３４０及び横配管３５０において、シャワー排水により汚物を押し流すことができる。よって、浴室１００の外部に汚物を容易に排出させることができる。
【００５０】
便器装置２００のメンテナンスを行う場合には、洗浄水を供給するための配管などを取り外した状態で、便器本体２２０を周方向に回転させることで、環状貯留部３２０の底面部３２１の引っ掛け部３２５から、円弧状突出取付片２２２ａを取り外す。この状態で、便器本体２２０を上方に持ち上げることで、便器２１０を環状貯留部３２０から取り外すことができる。これにより、便器２１０を床パン１１０から取り外すことで、排水可動弁２５０の可動部分である可動式カップ２５１の清掃や、便器本体２２０の裏側に付着した汚物などの清掃を簡単に行うことができる。また、チャンバ３４０の内部の清掃を簡単に行うことができる。また、床排水トラップ４００及び便器側排水トラップ２４０の点検や修理などのメンテナンスを容易に行うことができる。
【００５１】
以上の構成を備える本実施形態の浴室１００の排水構造１によれば、以下の効果が奏される。
（１）本実施形態では、床パン１１０と、床パン１１０に形成される床排水口３１０と、床排水口３１０の周囲に形成される床排水トラップ４００と、床パン１１０に設置される便器２１０と、を備える。便器２１０の便器本体２２０下端部２２１は、床排水トラップ４００を構成する隔壁４１０の一部を兼ねている。そのため、便器２１０から排出される排水及び床パン１１０から排出される排水は、同一のチャンバ３４０及び同一の横配管３５０に流される。これにより、便器２１０の排水系統と床パン１１０の排水系統とを一つの排水系統にまとめることができるため、構成部品を少なくでき、浴室１００の排水構造１を簡易に構成できる。
【００５２】
（２）本実施形態では、便器２１０は、床パン１１０に対して着脱可能である。そのため、床パン１１０から便器２１０を取り外すことで、便器２１０や可動式カップ２５１の清掃やメンテナンスが容易となる。また、チャンバ３４０の内部の清掃やメンテナンスが容易となる。また、床排水トラップ４００及び便器側排水トラップ２４０の点検や修理などのメンテナンスを容易に行うことができる。
【００５３】
（３）本実施形態では、便器２１０は、便器本体２２０を有し、隔壁４１０は、便器本体２２０の下端部２２１により構成され、床排水口３１０の周囲には、円環状の環状貯留部３２０が形成され、床排水トラップ４００は、隔壁４１０が環状貯留部３２０に配置されることで形成される封水部４２０を有する。これにより、隔壁４１０が環状貯留部３２０に配置されることで封水部４２０が形成されるため、簡易な構成で、床排水トラップ４００を形成できる。
【００５４】
（４）本実施形態では、便器２１０は、水や汚物にて一定重量を超えた場合に作動する排水可動弁２５０を有する。従来、排水可動弁２５０を有する便器２１０において、床パン１１０から便器２１０を取り外すことが難しく、排水可動弁２５０の可動部分のメンテナンスの頻度が高いにもかかわらず、可動部分のメンテナンスを行いにくかった。これに対して、本発明では、排水可動弁２５０を有することでメンテナンスの頻度が高いことが想定される便器２１０を備える構成において、便器２１０を床パン１１０に対して着脱可能に構成したため、排水可動弁２５０の可動部分のメンテナンスを容易に行うことができる。
【００５５】
（５）本実施形態では、床パン１１０には、床パン１１０に流れるシャワー排水を床排水トラップ４００に導くための誘導傾斜溝１１２が形成される。そのため、シャワー排水は、誘導傾斜溝１１２に沿って、床排水口３１０側に流される。これにより、床パン１１０を流れる水が、床パン１１０の上面１１１に滞留することを低減できる。
【００５６】
（６）本実施形態では、誘導傾斜溝１１２は、床排水トラップ４００側が下るように傾斜する傾斜部分１１２ａを有する。これにより、床パン１１０を流れる水は、床排水トラップ４００に向かって流れ易くなる。これにより、排水性能を向上できる。
【００５７】
［第２実施形態］
次に、第２実施形態について説明する。図６は、第２実施形態に係る和式便器を備える浴室１００の排水構造１を示す図である。
【００５８】
図６に示すように、第２実施形態の便器装置２００Ａにおける便器２１０Ａは、使用者が腰を下ろして跨って使用する、いわゆる和式便器である。第２実施形態の便器装置２００Ａは、便器２１０Ａが和式便器である点以外の構成は、第１実施形態の便器装置２００と同様の構成を有する。
【００５９】
具体的には、第２実施形態の便器本体２２０Ａは、上下方向の長さが、第１実施形態の洋式の便器２１０の便器本体２２０（図２参照）の長さよりも短く形成される。便鉢２３０の上面部２３４Ａは、第１実施形態の便鉢２３０の上面部２３４よりも低い位置において、床パン１１０の上面１１１及び環状目皿３３０の上面と略同じ高さの位置に配置され、略同一の平面上に配置される。
【００６０】
第２実施形態における和式便器は、便器本体２２０Ａの上下方向の長さが、第１実施形態における洋式便器の便器本体２２０の上下方向の長さよりも短いのみで、その他は同様の構成である。そのため、便器本体２２０Ａの製造時に、上下方向の長さが長い洋式便器の便器本体２２０の金型を使用することができるため、製造用の金型を共用できる。
また、第２実施形態によれば、第１実施形態の（１）〜（６）と同様の効果が奏される。
【００６１】
［第３実施形態］
次に、第３実施形態に係る浴室１００の排水構造１について説明する。図７は、第３実施形態の浴室１００の排水構造１を示す図であって、便器装置２００ＢがＵ字排水トラップ２８０を備える構成を示す図である。
【００６２】
第３実施形態の便器装置２００Ｂは、図７に示すように、水回り機器としての便器２１０と、便器排水機構２５０Ａと、洗浄タンク２６０と、を備える。図７に示すように、第３実施形態の便器排水機構２５０Ａは、第１実施形態の排水可動弁２５０の可動式のメカニカル式の便器側排水トラップ２４０（図２参照）に代えて、Ｕ字排水トラップ２８０を有する。
【００６３】
第３実施形態のＵ字排水トラップ２８０は、Ｕ字状の管状に形成され、水が流れ込んできても開閉動作などを行わずに封水が溜められた封水部２８１を形成する。Ｕ字排水トラップ２８０は、封水部２８１に封水を溜めて、浴室１００に、チャンバ３４０からの臭気が逆流することを抑制すると共に、浴室１００に、害虫等が侵入することを抑制することができる。
【００６４】
第３実施形態によれば、第１実施形態の（１）〜（３）、（５）、（６）と同様の効果が奏される。
【００６５】
［第４実施形態］
次に、第４実施形態に係る浴室１００Ａの排水構造１Ａについて説明する。図８は、第４実施形態に係る浴室１００Ａの排水構造１Ａを示す図であって、手洗い装置５００がＵ字排水トラップ５８０を有する構成を示す図である。
【００６６】
第４実施形態の浴室１００Ａの排水構造１Ａは、第３実施形態の便器装置２００Ｂ（図７参照）に代えて、手洗い装置５００を備える。手洗い装置５００は、図８に示すように、手洗い部５１０と、便器排水機構５５０と、手洗い水タンク５６０と、を備える。手洗い部５１０は、第３実施形態の便器本体２２０に代えて、手洗い部本体５２０を有し、第３実施形態の便鉢２３０に代えて、手洗い鉢５３０を有する。手洗い部本体５２０は、第３実施形態の便器本体２２０と同様に、筒状に形成され、下端部５２１が、床排水トラップ４００の隔壁４１０を構成する。
【００６７】
第４実施形態の便器排水機構５５０は、第３実施形態のＵ字排水トラップ２８０（図７参照）と同様の構成のＵ字排水トラップ５８０を有する。第４実施形態のＵ字排水トラップ５８０は、手洗い鉢５３０の底部に接続される。
【００６８】
第４実施形態によれば、第１実施形態の（１）〜（３）、（５）、（６）と同様の効果が奏される。
【００６９】
なお、本発明は上記実施形態に限定されるものではなく、本発明の目的を達成できる範囲内での変形、改良等は本発明に含まれる。
例えば、上記実施形態では、床を床パンで構成したが、これに限定されない。例えば、床をコンクリートで構成して、床に、床排水トラップや便器などを配置してもよい。
【００７０】
また、上記実施形態では、床排水口３１０の全周に形成される環状貯留部３２０を円環状としたが、環状貯留部３２０を円環状とすることは一例であり、これに限定されない。環状貯留部３２０は、床排水口３１０の全周に形成されていればよく、例えば、角形の環状や楕円形の環状でもよい。
【００７１】
また、上記実施形態では、便器本体２２０を円筒状としたが、これに限定されない。便器本体２２０は、全部が筒状でなくてもよく、少なくとも床パン（床）側の一部が筒状であればよい。また、便器本体２２０の断面形状は、円筒の形状に限定されず、例えば、楕円筒や角筒などの形状でもよい。この場合、便器本体２２０は、床パン（床）に設置した場合に、自立する形状であることが好ましい。
【符号の説明】
【００７２】
１，１Ａ  浴室の排水構造
１００，１００Ａ  浴室
１１０  床パン（床）
１１２  誘導傾斜溝（溝）
１１２ａ  傾斜部分
２１０  便器（水回り機器）
２２０  便器本体（筒状部）
２２１  下端部（水回り機器の一部）
２５０  排水可動弁
３１０  床排水口（排水口）
３２０  環状貯留部（水貯留部）
４００  床排水トラップ
４１０  隔壁
４２０  封水部
【図１】
2019094631.tif 000003
【図２】
2019094631.tif 000004
【図３】
2019094631.tif 000005
【図４】
2019094631.tif 000006
【図５】
2019094631.tif 000007
【図６】
2019094631.tif 000008
【図７】
2019094631.tif 000009
【図８】
2019094631.tif 000010